(57)【要約】【課題】  ガイド軸を支持する部材の部品精度に関係なく、ガイド軸の軸方向を光軸方向に高精度に一致させる。【解決手段】  調整レバー１１０を組み付けた下部鏡筒９０に、レンズキャリア９３及びガイドシャフト９４を組み付ける。ガイドシャフト９４の下端部を調整レバー１１０のボス１１１に設けられた軸受け部１１１ａに固着することで、ガイドシャフト９４が下部鏡筒９０に片持ち状態で保持される。調整レバー１１０を操作してガイドシャフト９４の位置を調整した後に、ガイドシャフト９４の上端部に取り付けられた調整板１０５を移動させて、ガイドシャフト９４の軸方向を光軸方向と一致させ、下部鏡筒９０に固着する。これにより、ガイドシャフト９４が、下部鏡筒９０に組み付けられた調整レバー１１０と調整板１０５によって保持される。【選択図】        図１０
2006309053.tif 000002
【特許請求の範囲】
【請求項１】
レンズが保持され、移動機構の作動によって光軸方向に移動可能なレンズキャリアと、該レンズキャリアの光軸方向への移動をガイドするガイド軸と、これら部材が収納されるレンズ鏡筒とを備え、前記レンズ鏡筒に前記ガイド軸を組み付ける際のガイド軸の保持方法において、
前記ガイド軸の一端部に組み付けられ、前記ガイド軸の軸方向が前記光軸方向に一致するようにガイド軸の軸ズレを調整する軸ズレ調整部材を備え、
前記レンズ鏡筒に前記ガイド軸の他端部を軸支した後に、前記ガイド軸の一端部に組み付けられた軸ズレ調整部材を移動させて前記ガイド軸の軸方向が前記光軸方向に一致した状態で軸ズレ調整部材を固定することによって、前記ガイド軸を前記レンズ鏡筒と軸ズレ調整部材とで保持することを特徴とするガイド軸の保持方法。
【請求項２】
前記レンズ鏡筒は、前記ガイド軸の他端部を軸支する支持部と、該レンズ鏡筒の外部から前記支持部の位置調整を行う位置決めレバーとからなる位置調整部材が組み付けられ、前記位置決めレバーの操作による前記位置調整部材の位置調整を行うことで前記ガイド軸の位置調整を行った後に、前記軸ズレ調整部材による前記ガイド軸の軸ズレの調整が行われることを特徴とする請求項１記載のガイド軸の保持方法。
【発明の詳細な説明】
【技術分野】
【０００１】
本発明は、電子スチルカメラ、ビデオカメラや銀塩カメラ等に用いられ、撮影倍率の変更を行うズーム光学系を備えたレンズ装置に用いられるガイド軸の保持方法に関するものである。
【背景技術】
【０００２】
一般に、普及しているカメラの中には、撮像光学系によって結像された被写体像を例えばＣＣＤ等の撮像手段で撮像するカメラ、所謂デジタルカメラがある。このようなデジタルカメラの中には、ズームに寄与する光学系を駆動源により光軸方向に移動させてズーム倍率を変更する、所謂光学ズーム機能を備えたものもある。このようなズーム倍率を変更する光学系を備えたカメラの場合、例えばガイド軸の一端部を保持枠で、その他端部を他の部品で保持することが考えられる（特許文献１）。
【特許文献１】特開平５−３４１１６８号公報
【発明の開示】
【発明が解決しようとする課題】
【０００３】
しかしながら、ガイド軸の両端を支持する場合、ガイド軸の軸方向が光軸方向と一致するように組み付けられることが理想的であるが、保持枠と他の部品との組み付け精度や、保持枠や、他の部品自体の部品精度が悪いと、ガイド軸の軸方向と光軸方向とがずれたまま組み付けられることになり、組み込まれた光学系の光学性能が劣化する原因となる。
【０００４】
本発明は、上記課題を解決するためになされたものであり、レンズキャリアを保持枠に組み付けた際に、ガイド軸を支持する部材の部品精度に関係なく、ガイド軸の軸方向を光軸方向に高精度に一致させることができるようにしたガイド軸の保持方法を提供するものである。
【課題を解決するための手段】
【０００５】
本発明のガイド軸の保持方法は、レンズが保持され、移動機構の作動によって光軸方向に移動可能なレンズキャリアと、該レンズキャリアの光軸方向への移動をガイドするガイド軸と、これら部材が収納されるレンズ鏡筒とを備え、前記レンズ鏡筒に前記ガイド軸を組み付ける際のガイド軸の保持方法において、前記ガイド軸の一端部に組み付けられ、前記ガイド軸の軸方向が前記光軸方向に一致するようにガイド軸の軸ズレを調整する軸ズレ調整部材を備え、前記レンズ鏡筒に前記ガイド軸の他端部を軸支した後に、前記ガイド軸の一端部に組み付けられた軸ズレ調整部材を移動させて前記ガイド軸の軸方向が前記光軸方向に一致した状態で軸ズレ調整部材を固定することによって、前記ガイド軸を前記レンズ鏡筒と軸ズレ調整部材とで保持することを特徴とする。
【０００６】
また、前記レンズ鏡筒は、前記ガイド軸の他端部を軸支する支持部と、該レンズ鏡筒の外部から前記支持部の位置調整を行う位置決めレバーとからなる位置調整部材が組み付けられ、前記位置決めレバーの操作による前記位置調整部材の位置調整を行うことで前記ガイド軸の位置調整を行った後に、前記軸ズレ調整部材による前記ガイド軸の軸ズレの調整が行われることを特徴とする。
【発明の効果】
【０００７】
本発明のガイド軸の保持方法によれば、レンズが保持され、移動機構の作動によって光軸方向に移動可能なレンズキャリアと、該レンズキャリアの光軸方向への移動をガイドするガイド軸と、これら部材が収納されるレンズ鏡筒とを備え、前記レンズ鏡筒に前記ガイド軸を組み付ける際のガイド軸の保持方法において、前記ガイド軸の一端部に組み付けられ、前記ガイド軸の軸方向が前記光軸方向に一致するようにガイド軸の軸ズレを調整する軸ズレ調整部材を備え、前記レンズ鏡筒に前記ガイド軸の他端部を軸支した後に、前記ガイド軸の一端部に組み付けられた軸ズレ調整部材を移動させて前記ガイド軸の軸方向が前記光軸方向に一致した状態で軸ズレ調整部材を固定することによって、前記ガイド軸を前記レンズ鏡筒と軸ズレ調整部材とで保持するから、レンズ鏡筒の部品精度が低い場合であっても、ガイド軸を高精度に保持することができるので、レンズの光学性能を劣化させることがなくなる。
【０００８】
また、前記レンズ鏡筒は、前記ガイド軸の他端部を軸支する支持部と、該レンズ鏡筒の外部から前記支持部の位置調整を行う位置決めレバーとからなる位置調整部材が組み付けられ、前記位置決めレバーの操作による前記位置調整部材の位置調整を行うことで前記ガイド軸の位置調整を行った後に、前記軸ズレ調整部材による前記ガイド軸の軸ズレの調整が行われるから、例えば、ガイド軸の一端部を支持する部品がレンズ鏡筒に組み付けられる部品からなる場合であっても、ガイド軸の位置決め調整及びガイド軸の軸ズレを調整することが可能であり、ガイド軸を高精度でレンズ鏡筒に組み付けることができる。
【発明を実施するための最良の形態】
【０００９】
図１及び図２に示すデジタルカメラ１０は、カメラ本体１１の前面に、撮影開口１２及びストロボ発光部１３が設けられており、上面には、電源ボタン１４及びシャッタボタン１５が設けられている。
【００１０】
カメラ本体１１の背面には、ＬＣＤ（Ｌｉｑｕｉｄ  Ｃｒｙｓｔａｌ  Ｄｉｓｐｌａｙ）１６、ズーム操作ボタン１７、カーソルボタン１８、及びモード切替ボタン１９が設けられている。モード切替ボタン１９は、撮影画像をメモリカードに記録する撮影モードと、メモリカードに記録された画像を再生する再生モードと、各種設定を行うセットアップモードとを切り替える際にユーザによって操作される。
【００１１】
ＬＣＤ１６は、画像再生に使用される他、撮影モード時には、フレーミング用のスルー画を表示する電子ビューファインダとしても機能する。また、ＬＣＤ１６は、セットアップモードに設定された時にメニュー画面を表示する。カーソルボタン１８は、このメニュー画面上でのカーソルの移動や、メニュー画面に表示された項目を選択する際に操作される。ズーム操作ボタン１７は、ズーム倍率を変更する際に操作される。
【００１２】
図３は、デジタルカメラ２のレンズ鏡筒の前面を分割して示す斜視図、図４はレンズ鏡筒の後面を示す斜視図である。このレンズ鏡筒２０に組み込まれる撮像光学系は、プリズム７１（図７参照）を用いた屈曲光学系から構成される。この屈曲光学系が用いられることによって、デジタルカメラ２の厚みを薄くすることができる。このレンズ鏡筒２０は、上部ユニット２１と、下部ユニット２２とから構成され、これら２つのユニットがネジ２３等によって一体に組み付けられる。なお、符号２４はシャッタユニットであり、本実施形態では、便宜上シャッタユニット２４は下部ユニット２２に含まれるものとして説明する。なお、図４中符号３０は第１駆動ユニット、符号３１は第２駆動ユニットであり、第１駆動ユニット３０は上部鏡筒６５に、第２駆動ユニット３１は下部鏡筒９０に、ネジ３３、３４等によりそれぞれ組み付けられる。
【００１３】
図５は、第１駆動ユニット３０の構成を分解して示す斜視図である。第１駆動ユニット３０は、ブラケット４０、移動部材４１、駆動モータ４２、ガイドシャフト４３から構成されている。ブラケット４０は、略コの字状から構成されている。この上面４０ａ及び下面４０ｂには、ガイドシャフト４３が挿通される開口４４の他に、駆動モータ４２の駆動ネジ軸４２ａが挿通される開口４５がそれぞれ設けられる。なお、符号４６（図４参照）、符号４７は第１駆動ユニット３０を上部鏡筒６５に設けられたピン６５ａが挿入される位置決め孔であり、符号４８は、ネジ３３が挿通される開口である。
【００１４】
移動部材４１は、円柱形状からなる基部４１ａに、ガイドシャフト４３が挿通される開口４１ｂ、４１ｃが設けられている。この基部４１ａから突出するように、当接片４１ｄ及び押圧片４１ｅが設けられている。この当接片４１ｄと、押圧片４１ｅとの間には、駆動モータ４２の駆動ネジ軸４２ａが挿入される。なお、当接片４１ｄにはラッチ４１ｇが設けられており、駆動モータ４２の駆動ネジ軸４２ａと噛合することで、駆動ネジ軸４２ａの回転を移動部材４１の移動に変換している。また、移動部材４１は、連結片４１ｈを備えており、この連結片４１ｈに引張りバネ８２（図７参照）の一端が取り付けられる。なお、ガイドシャフト４３は、移動部材４１の移動方向を規制するために設けられる。
【００１５】
図６は、第２駆動ユニット３１の構成を分解して示す斜視図である。第２駆動ユニット３１は、第１駆動ユニット３０と同様に、ブラケット５０、移動部材５１、駆動モータ５２、ガイドシャフト５３から構成されている。ブラケット５０は、略コの字状から構成されている。この上面５０ａ及び下面５０ｂには、ガイドシャフト５３が挿通される開口５５の他に、駆動モータ５２の駆動ネジ軸５２ａが挿通される開口５６がそれぞれ設けられる。なお、符号５７（図４参照），符号５８は第２駆動ユニット３１を下部鏡筒９０に組み付ける際に、下部鏡筒９０に設けられたピン９０ａが挿入される位置決め孔であり、符号５９は、ネジ３４が挿通される開口である。
【００１６】
移動部材５１は、円柱形状からなる基部５１ａに、ガイドシャフト５３が挿通される開口５１ｂ、５１ｃが設けられている。この基部５１ａから突出するように、当接片５１ｄ及び押圧片５１ｅが設けられている。この当接片５１ｄと、押圧片５１ｅの間に駆動モータ５２の駆動ネジ軸５２ａが挿入される。なお、当接片５１ｄにはラッチ５１ｇが設けられており、駆動モータ５２の駆動ネジ軸５２ａと噛み合うことで、駆動ネジ軸５２ａの回転を移動部材５１の移動に変換している。また、移動部材５１は、連結片５１ｈを備えており、この連結片５１ｈに引張りバネ９７（図８参照）の一端が取り付けられる。なお、ガイドシャフト５３は、移動部材５１の移動方向を規制するために設けられる。
【００１７】
図７に示すように、上部ユニット２１は、上部鏡筒６５、第１レンズ群６６、第２レンズ群６７、第３レンズ群６８等から構成される。第１レンズ群６６は、第１レンズ７０、プリズム７１、第２レンズ７２から構成される。第１レンズ７０は、レンズホルダ７３の後面側から挿入された後に、上部鏡筒６５に組み付けられる。上部鏡筒６５の前面にはピンが２カ所設けられており、これらピンによって、レンズホルダ７３が上部鏡筒６５の前面の所定位置に位置決めされる。なお、符号７４，７５は、レンズホルダ７３を上部鏡筒６５に固定するときに用いられる留め具である。
【００１８】
プリズム７１には、光入射面７１ａと光出射面７１ｃとが直交する直交プリズムが用いられる。プリズム７１は、第１レンズ７０により取り込まれた第１方向（図７中符号Ｌ１）の被写体光束を光入射面７１ａから入射させ、全反射面７０ｂにて９０度折り曲げて第２方向（図７中符号Ｌ２）に反射させ、光出射面７１ｃから出射させる。このプリズム７１は、上部鏡筒６５に設けられたプリズム収納部６５ｂに挿入された後に、プリズム収納部６５ｂの壁面に設けられた注入孔６５ｃ，６５ｄから例えばＵＶ接着材等が注入されることによって上部鏡筒６５に固着される。なお、符号７６は、調光用のマスクシートである。
【００１９】
第２レンズ７２は、例えば２枚のレンズから構成され、これらレンズが例えば金属からなるレンズホルダ７７に組み込まれる。このレンズホルダ７７は、上部鏡筒６５の下方から、上部鏡筒６５に設けられたレンズ収納部（図示せず）に収納される。この際、プリズム７１の光出射面７１ｃと第２レンズ７２とによってマスクシート７６が挟持された状態でレンズホルダ７７が上部鏡筒６５に固着される。
【００２０】
第２レンズ群６７は、ズーム倍率の変更を行うためのレンズ群である。この第２レンズ群６７は、例えば３枚のレンズから構成され、レンズキャリア７８に組み込まれる。レンズキャリア７８は、第２レンズ群６７を収納する収納部７８ａ、ガイドシャフト７９，８０が挿通されるガイド受け部７８ｂ,７８ｃを備えている。ガイド受け部７８ｂは円柱形状から構成され、その中央が切欠かかれている。この部分が、トーションバネ８１が収納される収納部７８ｄとなる。
【００２１】
トーションバネ８１は、レンズキャリア７８に組み付けられるガイドシャフト７９を開口７８ｇ，７８ｈの内壁面に当接させるために設けられている。なお、トーションバネ８１の一端部はガイド受け部７８ｂに設けられた凹部７８ｅに、その他端部は凹部７８ｆにそれぞれ入り込む。これにより、例えばズーム倍率の変更時において、レンズホルダ７８が光軸方向（Ｌ２方向）に移動した際のレンズキャリア７８のがたつきや、撮影時に生じる振動に起因するレンズキャリア７８のがたつきを防止することができる。
【００２２】
また、ガイド受け部７８ｂには、連結片７８ｉが設けられており、この連結片７８ｉには、移動部材４１の連結片４１ｈにその一端部が組み付けられた引張りバネ８２の他端部が組み付けられる。これにより、第１駆動ユニット３０の移動部材４１と、レンズキャリア７８とが連結され、ガイド受け部７８ｂから突出して設けられた当接片７８ｊの上面と、移動部材４１の連結片４１ｈの下面とが当接された状態で保持される。なお、図示は省略するが、このレンズキャリア７８には、インデックスが設けられており、このインデックスを上部鏡筒６５に組み付けられたホトインタラプタによって検出することによって、レンズキャリア７８の基準位置を把握することが可能となっている。
【００２３】
レンズホルダ８５は、ネジ８６等によって上部鏡筒６５の底面に組み付け固定される。このレンズホルダ８５の上面には、上述したガイドシャフト７９，８０の下端部をそれぞれ保持する軸受け部８５ａ，８５ｂを備える他に、第３レンズ群６８が固定される取付け孔８５ｃを備えている。
【００２４】
第３レンズ群６８は、第２レンズ群６７からの被写体光束を第４レンズ群９１にリレーするためのレンズ群である。なお、図７において第３レンズ群６８を１枚のレンズから構成した例を示す図としているが、第３レンズ群を構成するレンズは、１枚に限定する必要はない。
【００２５】
図８に示すように、下部ユニット２２は、シャッタユニット２４、下部鏡筒９０、第４レンズ群９１及びＣＣＤ９２等から構成され、下部鏡筒９０に第４レンズ群９１及びＣＣＤ９２等が組み付けられる。第４レンズ群９１は、例えば３枚のレンズから構成され、ズーム倍率の変更を行う。また、第４レンズ群９１は、ズーム倍率の調整時のフォーカス調整や、撮影時のフォーカス調整を行う。この第４レンズ群９１は、レンズキャリア９３に組み付けられる。なお、図８では、シャッタユニットを省略して示す。また、レンズキャリア９３と、ガイドシャフト９４，９５によってレンズ装置９６が構成される。
【００２６】
レンズキャリア９３は、第４レンズ群９１を収納した収納部９３ａの他に、ガイドシャフト９４，９５が挿通されるガイド受け部９３ｂ，９３ｃを備えている。ガイド受け部９３ｂは円柱形状から構成されており、その中央部付近が切欠かれている。この部分が、トーションバネ９６が収納される収納部９３ｄとなる。このトーションバネ９６の一端はガイド受け部９３ｂに設けられた凹部９３ｅに、その他端は凹部９３ｆに入り込む。このトーションバネ９６により、レンズキャリア９３が付勢され、ガイド受け部９３ｂの開口９３ｇ、９３ｈにガイドシャフト９４が当接することになる。これにより、例えばレンズキャリア９３が光軸方向（Ｌ２方向）に移動した場合に、レンズキャリア９３のがたつきや、撮影時に生じる振動に起因するレンズキャリア９３のがたつきを防止することができる。
【００２７】
また、ガイド受け部９３ｂには、連結片９３ｉが設けられており、この連結片９３ｉに、引張りバネ９７の他端側が組み付けられる。これにより、第２駆動ユニット３１の移動部材５１と、レンズキャリア９３とが連結され、ガイド受け部９３ｂから突出して設けられた当接片９３ｊの上面と、移動部材５１の連結片５１ｈの下面とが当接された状態で保持される。また、このレンズキャリア９３はインデックス９３ｊを備え、下部鏡筒９０の側部開口９０ａに組み付けられるホトインタラプタ１００によって検出される。
【００２８】
上述したガイドシャフト９４の下端部は、下部鏡筒３２に取り付けられた調整レバー１１０（図９参照）によって軸受けされる。一方、ガイドシャフト９４の上端部には、調整板１０５が取り付けられる。
【００２９】
調整板１０５は、例えば金属板から形成され、ガイドシャフト９４の上端部が挿通される開口１０５ａと、下方に略９０度折り曲げられた操作部１０５ｂとから構成される。この調整板１０５は、ガイドシャフト９４の上端部の位置を調整し、ガイドシャフト９４の軸方向を光軸方向（Ｌ２方向）に一致させるために設けられる。なお、この調整板１０５は、その開口１０５ａにガイドシャフト９４の上端部が挿通された状態で組み付けられ、シャッタユニット２４と下部鏡筒９０とによって挟持される。なお、シャッタユニット２４と下部鏡筒９０とによって挟持されると、操作部１０５ｂが外部に露呈されるので、この操作部１０５ｂを操作して、ガイドシャフト９４の軸方向を光軸方向（Ｌ２方向）に一致させるように調整板１０５の位置を調整する。なお、この調整板１０５による位置調整が行われた後、この調整板１０５の操作部１０５ｂが下部鏡筒９０に固着される。なお、調整板１０５の形状は、図示された形状に限定されるものではない。
【００３０】
下部鏡筒９０の下端部には、ローパスフィルタ９８、ＣＣＤ９２が組み付けられる。ローパスフィルタ９８はモアレや擬色を防止するために用いられる。ＣＣＤ９２は、第４レンズ群９１を透過した被写体光が、その結像面にて結像されることによって、結像された被写体光を撮像信号に変換する。また、下部鏡筒９０の下端部には、調整レバー１１０、ＣＣＤ９２を収納部７０に固定するための固定部材である板バネ１２５（図９参照）が配置され、この板バネ１２５によって、ＣＣＤ９２が上方に付勢された状態で固定される。
【００３１】
図９及び図１０に示すように、調整レバー１１０は、下部鏡筒９０の下端部に設けられた保持部９０ｂに組み付けられる。この調整レバー１１０は、ガイドシャフト９４の下端部を軸受けする軸受け穴１１１ａを備えたボス１１１と、このボス１１１から突出し、調整ピン１２０が挿通される挿通孔１１２が形成されたレバー部１１３を備えている。なお、この調整レバーが下部鏡筒９０に組み込まれると、レバー部１１３の先端部が下部鏡筒９０から外部へと突出することになるが、この突出する部分が把持部１１４となる。把持部１１４と挿通孔１１２との間であって、レバー部１１３の下面には溝１１５が形成されている。この溝１１５は、把持部１１４の長手方向と直交する方向に沿って形成され、断面がＶ字形状にされている。このため、この溝１１５にてレバー部１１３を折って把手部１１４を切断することが可能である。
【００３２】
また、挿通孔１１２は、レバー部１１３の長手方向に沿って形成された長孔であり、長孔の幅は、調整ピン１２０の本体１２０ａの外径と略等しくされている。また、図１１に示すように、把持部１１４の縁端と挿通孔１１２の中心との距離ＬＡは、挿通孔１１２の中心と軸受け孔１１１ａの中心との距離ＬＢよりも長くされている。レバー部１１３に対して１８０度回転した位置には、位置決め片１１６が設けられている。
【００３３】
調整ピン１２０は、本体１２０ａの先端側にネジ部１２０ｂが形成され、後端側には、十字溝が形成された頭部１２０ｃが形成されている。さらに、調整ピン１２０の本体１２０ａであって、その軸方向の略中央となる部分にはフランジ部１２０ｄが形成されている。調整レバー１１０を下部鏡筒９０に取り付ける際に、ネジ部１２０ｂ側からバネ１２１、平ワッシャ１２２を調整ピン１２０に通して、ネジ部１２０ａ側から調整ピン１２０を挿通孔１１２に挿通させる。そして、ネジ部１２０ａを保持部９０ｂに形成されたネジ穴に螺合させることによって、調整ピン１２０が保持部９０ｂに固定される。
【００３４】
この時、調整レバー１１０とフランジ部１２０ｄとの間にバネ１２１が配置されており、このバネ１２１によって調整レバー１１０が保持部９０ｂに向けて付勢される。さらに、ボス１１１には、下方からバネ１２３が挿入され、このバネ１２３の下端は、板バネ１２５の上面１２５ａによって保持される。これにより、バネ１２３によって調整レバー１１０が保持部９０ｂに向けて付勢され、ボス１１１及び連結部８６の上面が保持部９０ｂと当接する。このため、下部鏡筒９０によって、調整ピン１２０を支点として調整レバー１１０が光軸方向（Ｌ２方向）と垂直な平面内で移動自在に保持される。また、前述したように、挿通孔１１２は長孔であり、その幅が調整ピン１２０の本体１２０ａの外径と略等しくされているので、調整レバー１１０は、レバー本体１１３の長手方向と直交する方向への移動が規制されている。
【００３５】
また、板バネ１２５には、下部鏡筒９０の側面に形成された突起９０ｃと係合する２つの係合孔１２５ｂと、ネジ１２６を挿通させる挿通孔１２５ｃと、切欠き１２５ｄとが形成されている。この板バネ１２５を下部鏡筒９０に取り付ける際、下部鏡筒９０の下端部に仮止めされた調整ピン１２０が板バネ１２５の切欠き１２５ｄに挿入された状態で、２つの係合孔１２５ｂを突起９０ｃ（図８参照）に係合させる。そして、挿通孔１２５ｃにネジ１２６を挿通させて下部鏡筒９０に形成されたネジ穴と螺合させ、調整ピン１２０と、ネジ１２６とを本固定する。これにより、板バネ１２５が下部鏡筒９０の下端を覆うように固定される。
【００３６】
次に、上述したレンズ鏡筒２０の下部ユニット２２の製造過程について説明する。下部鏡筒９０の保持部９０ｂに、調整レバー１１０を仮止めする。その後、レンズキャリア９３、ガイドシャフト９４，９５を下部鏡筒９０に設けられた収納部９０ｄ（図１０参照）に収納する。なお、ガイドシャフト９４の下端は調整レバー１１０のボス１１１に設けられた軸受け部１１１ａに挿入させる。この状態で、ガイドシャフト９４の上端に調整板１０５を取り付け、シャッタユニット２２を組み付ける。このとき、シャッタユニット２２の下面に設けられた軸受け部２２ａに、ガイドシャフト９４の上端部が挿入される。なお、シャッタユニット２２の下面に設けられた軸受け部２２ａの内径Ｄ１は、ガイドシャフト９４の外径Ｄ２よりも広く形成されているので、ガイドシャフト９４は、調整レバー１１０の軸受け部１１１ａに挿入された状態、詰まり片持ち状態となる。
【００３７】
その後、ローパスフィルタ９８、ＣＣＤ９２を下部鏡筒９０の下端部に組み付けた後に、板バネ１２５を組み付ける。最後に、下部鏡筒９０に第２駆動ユニット３１を組み付け、レンズキャリア９３の連結片９３ｉと、移動部材５１の連結片５１ｈとを引張りバネ９７によって連結する。
【００３８】
この状態で、調整レバー１１０を図１１中Ａ方向、或いはＢ方向に移動させるように、或いは、図１１中Ｃ方向、或いはＤ方向に回動させるように、調整レバー１１０を操作することによって、ガイドシャフト９４の位置調整を行う。なお、調整レバー１１０を操作することによってガイドシャフト９４の位置調整した後に、調整板１０５を操作してガイドシャフト９４の軸方向の傾きを調整する。例えばガイドシャフト９４が、光軸方向（Ｌ２方向）に対して傾いて下部鏡筒９０に組み付けられている場合があり、ガイドシャフト９４の軸方向が光軸方向（Ｌ２方向）と一致していない場合には、調整板１０５を図１２中Ｅ方向或いはＦ方向に移動させる、或いは図１２中Ｇ方向或いはＨ方向に移動させることによって、ガイドシャフト９４の上端の位置調整を行って、ガイドシャフト９４の軸方向が、光軸方向（Ｌ２方向）に一致するように調整する。これにより、ガイドシャフト９４が組み付けられたレンズキャリア９３の位置が調整される。ガイドシャフト９４を下部鏡筒９０に組み付ける際に、下部鏡筒９０や調整レバー１１０の部品精度が低い場合であっても、調整板１０５によって、ガイドシャフト９４の軸方向と、光軸方向（Ｌ２方向）とを一致させることが可能となる。
【００３９】
このガイドシャフト９４の位置調整、及び傾き調整が行われた後に、調整ピン１２０を本固定し、調整レバー１１０、及び調整板１０５を下部鏡筒９０に接着剤等で固着する。これにより、ガイドシャフト９４の下端部が調整レバー１１０の軸受け部１１１ａによって軸支され、また、ガイドシャフト９４の上端部が調整板１０５によって軸支されることになる。なお、上述したガイドシャフト９４の位置調整、及び傾き調整は、詳細は記載しないが専用の試験器具を用いて行われる。
【００４０】
これにより、完成した下部ユニット２２は、他の行程で製造された上部ユニット２１と組み付けられた状態で、デジタルカメラ１０の内部に組み付けられる。これにより、ガイドシャフト９４の下端部が調整レバー１１０のボス１１１に設けられた軸受け部１１１ａによって軸支され、また、ガイドシャフト９４の上端部が調整板１０５によって軸支される、所謂両持ち状態となるので、例えば、デジタルカメラ２を誤って落下させた場合の衝撃によって、ガイドシャフト９４の軸ズレや、ガイドシャフト９４の軸方向が光軸方向に対して傾いてしまう、所謂倒れを防止することができる。
【００４１】
本実施形態では、調整板によってガイドシャフトの傾きを調整した後に、調整板を下部鏡筒に接着剤で固着したが、これに限定する必要はなく、ネジを使用して固定することも可能である。また、ネジ固定した場合、ネジが緩むことが懸念される場合には、接着剤を用いて、調整板を下部鏡筒に固着することも可能である。
【００４２】
本実施形態では、下部鏡筒に組み込まれるガイドシャフトの例を取り上げたが、これに限定する必要はなく、例えば上部鏡筒に組み込まれるガイドシャフトに対しても、本発明を用いることができる。また、本実施形態では、デジタルカメラの例を取り上げたが、例えば、銀塩カメラや、ビデオカメラに、本発明を用いることも可能である。
【図面の簡単な説明】
【００４３】
【図１】デジタルカメラの前面の外観を示す斜視図である。
【図２】デジタルカメラの後面の外観を示す斜視図である。
【図３】レンズ鏡筒の前面側の構成を示す斜視図である。
【図４】レンズ鏡筒の後面側の構成を示す斜視図である。
【図５】第１駆動ユニットの構成を分解して示す斜視図である。
【図６】第２駆動ユニットの構成を分解して示す斜視図である。
【図７】上部ユニットの構成を分解して示す斜視図である。
【図８】下部ユニットの構成を分解して示す斜視図である。
【図９】下部鏡筒の下端部に組み付けられる調整レバーの近傍の構成を示す斜視図である。
【図１０】下部鏡筒に組み付けられる調整レバーの近傍の構成を示す断面図である。
【図１１】調整レバー近傍を示す正面図である。
【図１２】調整板近傍を示す正面図である。
【符号の説明】
【００４４】
２  デジタルカメラ
２０  レンズ鏡筒
２１  上部ユニット
２２  下部ユニット
３０  第１駆動ユニット
３１  第２駆動ユニット
９０  下部鏡筒
９１  第４レンズ群
９３  レンズキャリア
９４，９５  ガイドシャフト
９６  レンズ装置
１０５  調整板
１１０  調整レバー
１１１ａ  軸受け部
【図１】
2006309053.tif 000003
【図２】
2006309053.tif 000004
【図３】
2006309053.tif 000005
【図４】
2006309053.tif 000006
【図５】
2006309053.tif 000007
【図６】
2006309053.tif 000008
【図７】
2006309053.tif 000009
【図８】
2006309053.tif 000010
【図９】
2006309053.tif 000011
【図１０】
2006309053.tif 000012
【図１１】
2006309053.tif 000013
【図１２】
2006309053.tif 000014